(57)【特許請求の範囲】
【請求項１】
噴出器本体と、該噴出器本体の前端に設けられたノズルと、が備えられ、
前記噴出器本体は、前後方向に揺動可能なトリガーと、該トリガーの前後動に伴って作動するポンプと、を備え、
前記ポンプの作動に伴って容器内から吸い上げられた内溶液が前記ノズルのノズル孔から前方に向けて噴出するトリガー式液体噴出器において、
前記ノズル孔は、前記ノズルの前端面に形成され、
前方に向かって突出したブラシを有するブラシ部材が備えられ、
該ブラシ部材は、前記ノズルの前端面よりも前方に前記ブラシを配置する前方位置と前記ノズルの後端面よりも後方に前記ブラシを配置する後方位置との間で、前後方向にスライド可能に設けられていることを特徴とするトリガー式液体噴出器。
【請求項２】
請求項１記載のトリガー式液体噴出器において、
前記噴出器本体及び該噴出器本体を覆う外郭部のうちの何れか一方に被着されるカバーが備えられ、
前記ブラシ部材は、前記カバーの外面にスライド可能に設けられていることを特徴とするトリガー式液体噴出器。
【発明の詳細な説明】
【技術分野】
【０００１】
本発明は、トリガー式液体噴出器に関するものである。
【背景技術】
【０００２】
この種のトリガー式液体噴出器として、噴出器本体と、この噴出器本体の前端に設けられたノズルと、を備えたものが知られている。上記した噴出器本体は、前後方向に揺動可能なトリガーと、トリガーの前後動に伴って作動するポンプと、を備えている。また、上記した噴出器本体には、少なくとも例えば前記ポンプ等の機構部分を覆うように外郭部が設けられることがある。この種の外郭部としては、噴出器本体とは別体に構成されたもの（シュラウド）や、噴出器本体において、容器内から吸い上げられた内溶液がノズルに向かう途中に通過する縦筒や射出筒等と一体に形成されたものが知られている。また、上記したトリガー式液体噴出器としては、ノズルがノズル軸周りに回転可能に設けられ、このノズルを軸回転させることよりノズル孔を開放させたり閉塞させたりするものがある。また、ノズルの先端にヒンジを介して蓋が取り付けられているものもある。上記した構成からなるトリガー式液体噴出器では、まず、ノズルを軸回転させてノズル孔を開放したり、ノズル先端の蓋を開けたりして、ノズルを噴出可能な状態にする。続いて、ノズルを対象物に向け、指等でトリガーを後方に引く。これにより、噴出器本体内の内溶液がノズルから噴出し、対象物に内溶液が吹き付けられる。次に、トリガーから指を外すと、後方に引かれたトリガーが前方の位置に戻る。このとき、容器内から内溶液が噴出器本体内に吸い上げられる。
【０００３】
また、従来、トリガー式液体噴出器として、例えば下記特許文献１に示されているような、ブラシ部材を備えたものが知られている。このトリガー式液体噴出器は、噴出器本体の外郭部の後端部（ブラシ部材）が着脱可能に形成され、この外郭部の後端部にブラシが付設された構成になっている。上記した構成からなるトリガー式液体噴出器では、対象物に内溶液を吹き付けた後、外郭部の後端部を取り外し、その外郭部の後端部に付設されたブラシで対象物に付着した汚れ等を擦り落とすことができる。
【特許文献１】特開２００２−３２０８８７号公報
【発明の開示】
【発明が解決しようとする課題】
【０００４】
しかしながら、上記した特許文献１のトリガー式液体噴出器では、ブラシを使用する際、外郭部の後端部を取り外さなければならず、煩雑で使いにくいという問題がある。
【０００５】
本発明は、上記した従来の問題が考慮されたものであり、操作性に優れたブラシ付きのトリガー式液体噴出器を提供することを目的としている。
【課題を解決するための手段】
【０００６】
本発明に係るトリガー式液体噴出器は、噴出器本体と、該噴出器本体の前端に設けられたノズルと、が備えられ、前記噴出器本体は、前後方向に揺動可能なトリガーと、該トリガーの前後動に伴って作動するポンプと、を備え、前記ポンプの作動に伴って容器内から吸い上げられた内溶液が前記ノズルのノズル孔から前方に向けて噴出するトリガー式液体噴出器において、前記ノズル孔は、前記ノズルの前端面に形成され、前方に向かって突出したブラシを有するブラシ部材が備えられ、該ブラシ部材は、前記ノズルの前端面よりも前方に前記ブラシを配置する前方位置と前記ノズルの後端面よりも後方に前記ブラシを配置する後方位置との間で、前後方向にスライド可能に設けられていることを特徴としている。
【０００７】
このような特徴により、ブラシを使用しないとき、ブラシ部材は後方位置に配置されている。そして、ブラシを使用する際、ブラシ部材を前方にスライドさせて前方位置に配置させる。これにより、ブラシがノズルよりも前方に突出した状態となり、ブラシにより汚れ等を擦り落とすことが可能である。
また、仮に、上記したブラシ部材がスライドできず前方位置に固定されていると、ノズルを軸回転させたりノズル先端の蓋を開閉したりする際に、ブラシが邪魔になり、使いにくい。また、ノズルが多角形状（例えば略三角形状）を成し、このノズルとブラシ部材との距離が近い場合には、ノズルを軸回転させる際にノズルの角部がブラシ部材に当接してノズルが軸回転できない場合が考えられる。また、ノズル等を摘む指がブラシに触れて汚れる場合もある。また、ブラシが常にノズルの前方に突出していると、ブラシが傷み易くなる。これに対し、上記したトリガー式液体噴出器では、ブラシ部材が後方位置にある状態で、ノズルを軸回転させたりノズル先端の蓋を開閉したりし、その後、ブラシ部材を前方にスライドさせる。これにより、ノズルを軸回転させたりノズル先端の蓋を開閉したりする際に、ブラシが邪魔にならず、また、ノズルがブラシ部材に当接することもなく、さらに、ノズル等を摘む指がブラシに触れることがなく、指等が汚れることもない。また、ブラシを使うとき以外は、ブラシ部材を後方位置に配置させておくことで、ブラシが傷むのが防止される。
【０００８】
また、本発明に係るトリガー式液体噴出器は、前記噴出器本体及び該噴出器本体を覆う外郭部のうちの何れか一方に被着されるカバーが備えられ、前記ブラシ部材は、前記カバーの外面にスライド可能に設けられていることが好ましい。
【０００９】
これにより、ブラシ部材がスライド可能に設けられたカバーを噴出器本体や外郭部に被着させることで、スライド可能なブラシ部材を備えたトリガー式液体噴出器が形成される。つまり、噴出器本体や外郭部の形状等を変更する必要がなく、従来のトリガー式液体噴出器に対して、ブラシ部材が設けられた新たなカバーを取り付けるだけでよい。
【発明の効果】
【００１０】
本発明に係るトリガー式液体噴出器によれば、必要に応じてノズルの前方にブラシを突出させることができるので、そのブラシで汚れ等を擦り落とすことができる。しかも、必要がないときはブラシをノズルの後方に移動させることができるので、ノズルを操作する際に、ブラシ部材が邪魔にならず、操作性を向上させることができる。
【発明を実施するための最良の形態】
【００１１】
以下、本発明に係るトリガー式液体噴出器の実施の形態について、図面に基いて説明する。
図１は本発明の一例であるトリガー式液体噴出器１の斜視図であり、図２はトリガー式液体噴出器１の側面図であり、図３はトリガー式液体噴出器１を前方からみた正面図であり、図４は後述するブラシ部材６の平面図であり、図５はトリガー式液体噴出器１の平面図である。
【００１２】
図１から図３に示すように、トリガー式液体噴出器１は、噴出器本体２と、噴出器本体２の前端に設けられたノズル３と、噴出器本体２を覆うシュラウド４（外郭部）と、シュラウド４に被着されてシュラウド４を覆うカバー５と、前方に向かって突出したブラシ６０を有するブラシ部材６を備えている。
【００１３】
噴出器本体２には、その前部に前後方向Ａに揺動可能に垂設されたトリガー２０と、トリガー２０の前後動に伴って作動するポンプ２１と、図示せぬ容器の口部に取り付けられる装着キャップ２２と、装着キャップ２２を図示せぬ容器の口部に取り付けた状態で、下端開口部が容器内の底部に配置されるパイプ２３と、が備えられている。また、噴出器本体２には、パイプ２３の上端部に連結される上下方向に延在する図示せぬ縦筒部と、縦筒部の上端部から前方に延設されるとともに先端にノズル３が連結され、その内部が上記縦筒部内及びノズル３内にそれぞれ連通した図示せぬ射出筒部と、が備えられており、パイプ２３から吸い上げられた内溶液は、上記した縦筒部内から射出筒部内を通ってノズル３へ送られる。
【００１４】
ノズル３は、前方に向けて液体を噴射させるためのものであり、正面視において略三角形状を成し、その中央部にノズル孔３ａが形成されている。また、ノズル３は、噴出器本体２に対して、ノズル孔３ａを開放する開位置とノズル孔３ａを閉塞する閉位置との間を移動可能に設けられている。例えば、ノズル３は、噴出器本体２に対して、ノズル中心軸Ｌ周りに回転可能若しくは前後方向Ａに進退可能に設けられている。
【００１５】
シュラウド４は、噴出器本体２に支持され、噴出器本体２の上面、後端面、及び両側面をそれぞれ覆う部材である。シュラウド４の前面及び下面はそれぞれ開放されている。シュラウド４の後部は、装着キャップ２２よりも後方に膨出しているとともに、前方から後方に向かうに従い下方に向けて円弧状に傾斜している。また、シュラウド４の前部の下側部分には、円弧状に切り欠いた切欠部４ａが形成されている。
【００１６】
カバー５は、シュラウド４の上面、後端面、及び両側面をそれぞれ覆う部材であり、その前面及び下面はそれぞれ開放され、その後部は前方から後方に向かうに従い下方に向けて円弧状に傾斜している。カバー５の内面には、シュラウド４に係止するための爪部５ａが設けられている。具体的に説明すると、カバー５の後部には、シュラウド４の後部下面に係止される爪部５ａが付設されており、また、カバー５の前部には、シュラウド４の切欠部４ａに係止される爪部５ａが付設されている。
【００１７】
また、カバー５の上面には、ブラシ部材６が載置されるスライド面５ｂが形成されている。このスライド面５ｂは、前後方向Ａに延在する水平面であり、その前端及び両側端はそれぞれ開放され、その後端はストッパー壁面５ｃが立設されて閉塞されている。また、スライド面５ｂの前部の上には、ブラシ部材６のスライドを案内するためのガイド５０が設けられている。このガイド５０は、スライド面５ｂ上のブラシ部材６を両側から挟み込むようにスライド面５ｂの両側部にそれぞれ立設された対向する一対の壁部５０ａ，５０ａにより構成されている。これら一対の壁部５０ａ，５０ａは、前後方向Ａにそれぞれ延在しており、間隔をあけて対向配置されている。また、壁部５０ａの上端部には、ブラシ部材６が上方に外れるのを防止するためにブラシ部材６を掛止する鉤部５０ｂが内側に向けて突設されている。
【００１８】
ブラシ部材６は、上記したガイド５０により前後方向に案内されつつ、上記したスライド面５ｂに沿ってスライド可能な平板状部材である。詳しく説明すると、図４に示すように、ブラシ部材６は、板状のスライダー６１と、スライダー６１の前端面に突設されたブラシ６０と、を備えている。
【００１９】
スライダー６１は、平面視略矩形の矩形部６１ａの後端に左右両側にそれぞれ拡幅された拡幅部６１ｂが設けられた構成からなる。矩形部６１はガイド５０の一対の壁部５０ａ，５０ａ間に嵌め込まれており、拡幅部６１ｂは上記したストッパー壁面５ｃと一対の壁部５０ａ，５０ａの後端面との間に配設されている。また、スライダー６１の前端部の上面には、左右方向に延在する断面視台形の壁部６１ｃが立設されている。また、スライダー６１の上面には、平面視三角形の凸部６１ｄが突設されている。また、スライダー６１（矩形部６１ａ）の前端部の両側面には、側方に突出した前側突起６１ｅがそれぞれ突設されている。また、矩形部６１ａの後端部の両側面には、側方に突出した後側突起６１ｆがそれぞれ突設されている。上記した前側突起６１ｅは、ブラシ部材６が後述する後方位置に配置されているとき、ガイド５０の壁部５０ａの内側面に対して圧接する。また、上記した後側突起６１ｆは、ブラシ部材６が後述する前方位置に配置されているとき、ガイド５０の壁部５０ａの内側面に対して圧接する。
【００２０】
図５（ａ）、（ｂ）に示すように、上記したブラシ部材６は、拡幅部６１ｂの両側部の前端面が上記した一対の壁部５０ａ，５０ａの後端面に当接する位置まで前進が可能であり、また、拡幅部６１ｂの後端面が上記したストッパー壁面５ｃに当接する位置まで後退可能である。また、図５（ａ）に示すように、拡幅部６１ｂの両側部の前端面が上記した一対の壁部５０ａ，５０ａの後端面に当接したとき、スライダー６１の前端面がノズル３の上面に位置し、ブラシ６０は、ノズル３の上方、且つノズル３の前端面よりも前方の位置に配置される。また、図５（ｂ）に示すように、拡幅部６１ｂの後端面がストッパー壁面５ｃに当接したとき、スライダー６１の前端面がガイド５０の中央位置にくるとともにブラシ６０先端がノズル３の後端面の位置にきて、ブラシ６０は、ノズル３の上方、且つノズル３の後端面よりも後方の位置に配置される。つまり、ブラシ部材は、ノズル３よりも前方にブラシ６０を配置する前方位置（図５（ａ）に示す位置）と、ノズル３よりも後方にブラシ６０を配置する後方位置（図５（ｂ）に示す位置）との間で、前後方向にスライド可能に設けられている。
【００２１】
ブラシ６０は、スライダー６１の前端面に植設された複数の毛束６０ａからなる。複数の毛束６０ａは、左右方向に横並びに配設されている。なお、ブラシ６０の毛材としては、公知の毛材を用いることができ、例えば合成樹脂製の毛材や獣毛を用いることができる。
【００２２】
次に、上記した構成からなるトリガー式液体噴出器１の作用について説明する。
【００２３】
まず、ブラシ部材６を図５（ｂ）に示す後方位置に配置させておく。これにより、ブラシ６０がガイド５０内に収納されてノズル３の後方に配置される。このとき、ブラシ部材６の前側突起６１ｅがガイド５０の壁部５０ａの内側面に圧接しており、ブラシ部材６のがたつきが防止されている。
【００２４】
続いて、ノズル３を摘んで噴出器本体２に対して移動させ、ノズル３を閉位置から開位置に切り替える。このとき、ブラシ部材６のブラシ６０がノズル３の後方に配置されているので、ブラシ部材６が邪魔になったりノズル３を摘む指がブラシ６０に触れたりしない。また、ノズル３を軸回転させて閉位置から開位置に切り替えるものの場合、ノズル３とブラシ部材６との距離が近くてもノズル３の角部がブラシ部材６に当接することがない。
【００２５】
次に、トリガー式液体噴出器１を持ち上げ、ノズル３を図示せぬ対象物に向ける。このとき、親指と人差し指との間の部分が、円弧状に傾斜したカバー５の後端面に当接するように、トリガー式液体噴出器１を把持する。これにより、トリガー式液体噴出器１の持ち上げが容易になり、操作性が向上する。
【００２６】
次に、人差し指をトリガー２０に掛けて引き、トリガー２０を後方に揺動させる。これにより、ポンプ２１のシリンダ内が加圧され、噴出器本体２内の内溶液がノズル３から噴出して上記した対象物に吹き付けられる。次に、トリガー２０から人差し指を外すと、後方に引かれたトリガー２０が図示せぬコイルスプリングの付勢力によって前方に揺動し、元の位置に戻る。これにより、ポンプ２１のシリンダ内が減圧され、図示せぬ容器内の内溶液がパイプ２３を通って噴出器本体２内に吸い上げられる。
【００２７】
次に、ブラシ部材６を図５（ｂ）に示す後方位置から図５（ａ）に示す前方位置に移動させる。詳しく説明すると、まず、後方位置にあるブラシ部材６のスライダー６１を前方に押し出す。これにより、スライダー６１の前側突起６１ｅがガイド５０の壁部５０ａの内側面から外れ、ブラシ部材６は前後方向に自由にスライド可能な状態となる。続いて、スライダー６１をさらに前方に押し、ブラシ部材６をカバー５のスライド面５ｂに沿って前方にスライドさせる。そして、スライダー６１の拡幅部６１ｂの両側部の前端面がガイド５０の後端面に当接或いは近接する位置までブラシ部材６を前進させ、ブラシ部材６を前方位置に配置させる。これにより、ブラシ６０がノズル３の前方に突出した状態となる。また、スライダー６１の後側突起６１ｆがガイド５０の壁部５０ａの内側面に圧接し、ブラシ部材６のがたつきが防止される。
【００２８】
次に、上記したブラシ６０によって対象物に付着した汚れ等を擦り落とす。具体的に説明すると、トリガー式液体噴出器１を把持し、ブラシ６０を対象物の表面に沿って往復運動させる。これにより、対象物に付着した汚れ等はブラシ６０によって擦り落とされる。
【００２９】
次に、ブラシ６０による擦り落とし作業が終了した後、ブラシ部材６を、図５（ａ）に示す前方位置から図５（ｂ）に示す後方位置に戻す。詳しく説明すると、まず、前方位置にあるブラシ部材６のスライダー６１を後方に引き戻す。これにより、スライダー６１の後側突起６１ｆがガイド５０の壁部５０ａの内側面から外れ、ブラシ部材６は前後方向に自由にスライド可能な状態となる。続いて、スライダー６１をさらに後方に引き戻し、ブラシ部材６をカバー５のスライド面５ｂに沿って後方にスライドさせる。そして、スライダー６１（拡幅部６１ｂ）の後端面がストッパー壁面５ｃに当接或いは近接する位置までブラシ部材６を後退させ、ブラシ部材６を後方位置に配置させる。これにより、ブラシ６０がガイド５０の一対の壁部５０ａ，５０ａ間に収納されてノズル３の後方に配置される。また、スライダー６１の前側突起６１ｅがガイド５０の壁部５０ａの内側面に圧接し、ブラシ部材６のがたつきが防止される。
【００３０】
上記した構成からなるトリガー式液体噴出器１によれば、必要に応じてノズル３の前方にブラシ６０を突出させることができるので、ノズル３から内溶液を噴射しつつブラシ６０で汚れ等を擦り落とすことができる。しかも、ノズル３を開位置や閉位置に切り替える際に、ブラシ６０をノズル３の後方に移動させることができるので、ブラシ部材６が邪魔になったり指がブラシ６０に触れたりノズル３がブラシ部材６に当接したりせず、操作性を向上させることができる。また、必要なとき以外はブラシ６０をノズル３の後方に配置させることで、ブラシ６０の傷みを防止することができる。
【００３１】
また、上記した構成からなるトリガー式液体噴出器１によれば、ブラシ部材６は、カバー５のスライド面５ｂにスライド可能に設けられているので、ブラシ部材６が設けられたカバー５をシュラウド４に被着させることで、スライド可能なブラシ部材６を備えたトリガー式液体噴出器１が形成される。つまり、従来のトリガー式液体噴出器のシュラウドに対してブラシ部材６付きのカバー５を取り付けたり、従来のトリガー式液体噴出器のカバーをブラシ部材６付きのカバー５に付け替えたりするだけでよく、従来品の大部分をそのまま使用して上記したトリガー式液体噴出器１を製作することができる。これにより、コストダウンを図ることができる。
【００３２】
以上、本発明に係るトリガー式液体噴出器の実施の形態について説明したが、本発明は上記した実施の形態に限定されるものではなく、その趣旨を逸脱しない範囲で適宜変更可能である。
例えば、上記した実施の形態では、噴出器本体２を覆う外郭部として、噴出器本体２と別体で構成されたシュラウド４が備えられているが、本発明は、噴出器本体２と一体に形成された外郭部であってもよく、噴出器本体２と一体に形成された外郭部に上記したカバー５が被着された構成であってもよい。さらに、噴出器本体２を覆う外郭部（シュラウド４等）が備えられていない構成にすることも可能であり、カバー５が噴出器本体２に直接被着されていてもよい。
【００３３】
また、上記した実施の形態では、カバー５に対してブラシ部材６がスライド可能に設けられているが、本発明は、カバー５が備えられてなく、シュラウド４等の外郭部に対してブラシ部材６がスライド可能に設けられた構成にすることも可能である。例えば、シュラウドの上面や上記した噴出器本体２と一体に形成された外郭部の上面にスライド面が形成され、このスライド面上にガイド５０が形成されるとともにブラシ部材６が載置された構成にすることも可能である。
【００３４】
また、上記した実施の形態では、カバー５の上面にスライド面５ｂが形成され、ブラシ部材６はカバー５の上面に配設されているが、本発明は、カバー５等の側面にスライド面が形成され、ブラシ部材６がカバー５等の側面に配設されていてもよい。
また、上記した実施の形態では、平板状のブラシ部材６が用いられているが、本発明は、カバー５等の上面及び側面に沿って形成された断面視Ｌ字形状又は断面視コ字形状のブラシ部材を用いることも可能である。これにより、ブラシ６０をノズル３の上方だけでなく、ノズル３の側方にも配設させることができる。
【００３５】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３６】
【図１】本発明の実施の形態を説明するためのトリガー式液体噴出器の斜視図である。
【図２】本発明の実施の形態を説明するためのトリガー式液体噴出器の側面図である。
【図３】本発明の実施の形態を説明するためのトリガー式液体噴出器の正面図である。
【図４】本発明の実施の形態を説明するためのブラシ部材の平面図である。
【図５】本発明の実施の形態を説明するためのトリガー式液体噴出器の平面図である。
【符号の説明】
【００３７】
１  トリガー式液体噴出器
２  噴出器本体
３  ノズル
４  シュラウド（外郭部）
５  カバー
６  ブラシ部材
２０  トリガー
２１  ポンプ
６０  ブラシ
【図１】
0005244347.tif 000002
【図２】
0005244347.tif 000003
【図３】
0005244347.tif 000004
【図４】
0005244347.tif 000005
【図５】
0005244347.tif 000006